【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
遊技機設置島に設置される遊技機に対応して設けられ、該対応する遊技機において遊技に使用される遊技媒体を貯留可能な貯留部と、所定の価値の使用に応じて該貯留部に貯留されている遊技媒体を払い出す払出装置と、遊技媒体を受け入れ可能な受入部と、該受入部から受け入れた遊技媒体数を計数する計数装置と、を備え、前記受入部から受け入れた遊技媒体を前記計数装置により計数して前記遊技機設置島に排出する遊技用装置であって、
前記計数装置は、前記受入部から受け入れた遊技媒体を該計数装置内に取り込むとともに該取り込んだ遊技媒体を前記遊技機設置島に排出する取込手段を有し、
前記取込手段にて取り込まれた遊技媒体数を計数するための処理を行う計数処理手段と、
遊技場の営業期間中であるか否かを判定する判定手段と、
前記判定手段が営業期間中であると判定したときには、前記取込手段による取込と前記計数処理手段による計数とを有効とする営業期間中制御を行う一方、前記判定手段が営業期間中でないと判定したときには、前記取込手段による取込を有効としつつ、前記計数処理手段による計数を無効とする営業期間外制御を行う制御手段と、
を備える
ことを特徴とする遊技用装置。
【請求項２】
遊技機設置島に設置される遊技機に対応して設けられ、該対応する遊技機において遊技に使用される遊技媒体を貯留可能な貯留部と、所定の価値の使用に応じて該貯留部に貯留されている遊技媒体を払い出す払出装置と、遊技媒体を受け入れ可能な受入部と、該受入部から受け入れた遊技媒体数を計数する計数装置と、を備え、前記受入部から受け入れた遊技媒体を前記計数装置により計数して前記遊技機設置島に排出する複数の遊技用装置と、
複数の前記遊技用装置とデータ通信可能に接続される管理装置と、
を含む遊技用システムであって、
前記計数装置は、前記受入部から受け入れた遊技媒体を該計数装置内に取り込むとともに該取り込んだ遊技媒体を前記遊技機設置島に排出する取込手段を有し、
前記取込手段にて取り込まれた遊技媒体数を計数するための処理を行う計数処理手段と、
遊技場の営業期間中であるか否かを判定する判定手段と、
前記判定手段が営業期間中であると判定したときには、前記取込手段による取込と前記計数処理手段による計数とを有効とする営業期間中制御を行う一方、前記判定手段が営業期間中でないと判定したときには、前記取込手段による取込を有効としつつ、前記計数処理手段による計数を無効とする営業期間外制御を行う制御手段と、
を備える
ことを特徴とする遊技用システム。
【手続補正２】
【補正対象書類名】明細書
【補正対象項目名】０００７
【補正方法】変更
【補正の内容】
【０００７】
前記課題を解決するために、本発明の請求項１に記載の遊技用装置は、
遊技機設置島（例えば、遊技島）に設置される遊技機（例えば、スロットマシン１）に対応して設けられ、該対応する遊技機において遊技に使用される遊技媒体（例えば、メダルＭ）を貯留可能な貯留部（例えば、貸出メダル貯留部１８３）と、所定の価値の使用（例えば、会員カードやビジターカードに記憶されているプリペイド残額や持ちメダル数、貯蓄メダル数の使用）に応じて該貯留部に貯留されている遊技媒体を払い出す払出装置（例えば、払出装置１８２）と、遊技媒体を受け入れ可能な受入部（例えば、受入部１４０）と、該受入部から受け入れた遊技媒体数を計数する計数装置（例えば、計数装置１９０）と、を備え、前記受入部から受け入れた遊技媒体を前記計数装置により計数して前記遊技機設置島に排出する遊技用装置（例えば、メダル貸出機１００）であって、
前記計数装置は、前記受入部から受け入れた遊技媒体を該計数装置内に取り込むとともに該取り込んだ遊技媒体を前記遊技機設置島に排出する取込手段（例えば、回転ディスクモータ１９０ｇ、回転ディスク１９０ｅ）を有し、
前記取込手段にて取り込まれた遊技媒体数を計数するための処理を行う計数処理手段（例えば、制御ユニット１８１のＣＰＵ１８１ａがステップＳ９においてメダル計数処理を実行する部分）と、
遊技場の営業期間中であるか否かを判定する判定手段（例えば、制御ユニット１８１のＣＰＵ１８１ａが、ステップＳｂ１５において締め関連処理指定コマンド受信フラグがセットされているか否かを判定する部分）と、
前記判定手段が営業期間中であると判定したときには、前記取込手段による取込と前記計数処理手段による計数とを有効とする営業期間中制御を行う一方、前記判定手段が営業期間中でないと判定したときには、前記取込手段による取込を有効としつつ、前記計数処理手段による計数を無効とする営業期間外制御を行う制御手段（例えば、制御ユニット１８１が、ステップＳｂ１５において締め関連処理指定コマンド受信フラグがセットされていないと判定した場合は、検出したメダルＭを持ちメダル数として計数するステップＳ９のメダル計数処理を実行し、ステップＳｂ１５において締め関連処理指定コマンド受信フラグがセットされていると判定した場合は、検出したメダルＭを無効メダル数として計数するステップＳｂ２０の営業時間外計数処理を実行する部分）と、
を備える
ことを特徴としている。
この特徴によれば、遊技場の営業期間外において、遊技媒体を各遊技機の位置で受け入れ、該受け入れた遊技媒体数を計数装置により計数することなく遊技機設置島に排出することができるので、遊技機に残存する遊技媒体や床などに落ちている遊技媒体の回収作業効率が向上する。
【手続補正３】
【補正対象書類名】明細書
【補正対象項目名】０００８
【補正方法】変更
【補正の内容】
【０００８】
また、本発明の請求項２に記載の遊技用システムは、
遊技機設置島（例えば、遊技島）に設置される遊技機（例えば、スロットマシン１）に対応して設けられ、該対応する遊技機において遊技に使用される遊技媒体（例えば、メダルＭ）を貯留可能な貯留部（例えば、貸出メダル貯留部１８３）と、所定の価値の使用（例えば、会員カードやビジターカードに記憶されているプリペイド残額や持ちメダル数、貯蓄メダル数の使用）に応じて該貯留部に貯留されている遊技媒体を払い出す払出装置（例えば、払出装置１８２）と、遊技媒体を受け入れ可能な受入部（例えば、受入部１４０）と、該受入部から受け入れた遊技媒体数を計数する計数装置（例えば、計数装置１９０）と、を備え、前記受入部から受け入れた遊技媒体を前記計数装置により計数して前記遊技機設置島に排出する遊技用装置（例えば、メダル貸出機１００）と、
複数の前記遊技用装置とデータ通信可能に接続される管理装置（例えば、メダル管理コンピュータ５５０）と、
を含む遊技用システムであって、
前記計数装置は、前記受入部から受け入れた遊技媒体を該計数装置内に取り込むとともに該取り込んだ遊技媒体を前記遊技機設置島に排出する取込手段（例えば、回転ディスクモータ１９０ｇ、回転ディスク１９０ｅ）を有し、
前記取込手段にて取り込まれた遊技媒体数を計数するための処理を行う計数処理手段（例えば、制御ユニット１８１のＣＰＵ１８１ａがステップＳ９においてメダル計数処理を実行する部分）と、
遊技場の営業期間中であるか否かを判定する判定手段（例えば、制御ユニット１８１のＣＰＵ１８１ａが、ステップＳｂ１５において締め関連処理指定コマンド受信フラグがセットされているか否かを判定する部分）と、
前記判定手段が営業期間中であると判定したときには、前記取込手段による取込と前記計数処理手段による計数とを有効とする営業期間中制御を行う一方、前記判定手段が営業期間中でないと判定したときには、前記取込手段による取込を有効としつつ、前記計数処理手段による計数を無効とする営業期間外制御を行う制御手段（例えば、制御ユニット１８１が、ステップＳｂ１５において締め関連処理指定コマンド受信フラグがセットされていないと判定した場合は、検出したメダルＭを持ちメダル数として計数するステップＳ９のメダル計数処理を実行し、ステップＳｂ１５において締め関連処理指定コマンド受信フラグがセットされていると判定した場合は、検出したメダルＭを無効メダル数として計数するステップＳｂ２０の営業時間外計数処理を実行する部分）と、
を備える
ことを特徴としている。
この特徴によれば、遊技場の営業期間外において、遊技媒体を各遊技機の位置で受け入れ、該受け入れた遊技媒体数を計数装置により計数することなく遊技機設置島に排出することができるので、遊技機に残存する遊技媒体や床などに落ちている遊技媒体の回収作業効率が向上する。
尚、請求項１、２において、前記計数処理手段による計数を無効とするとは、前記計数処理手段に遊技媒体を計数するための処理を実行させないことや、前記計数処理手段により計数された遊技媒体数を減算すること等を含む。